(57)【要約】【課題】レンジングを試す間に割り当てられたアップリンクリソースの量が不足した場合に発生する問題を解決する。【解決手段】本発明は、通信システムで、最初のレンジング要求メッセージのために割り当てられたアップリンク支援が十分でないと、一部情報を有するレンジング要求メッセージを送信し、残りの情報を有する追加レンジング要求メッセージの送信のための帯域幅割り当てを要求し、レンジング手順を遂行する端末であって、所定の制御によってレンジング手順を遂行するためのメッセージを送受信する送受信部と、レンジング手順の遂行時にレンジング要求メッセージを送信するためのアップリンクリソースが不足する場合に、基地局に追加レンジング要求メッセージの送信のためにアップリンクリソースの追加割り当てを要求するアップリンクリソース割り当て要求メッセージを送信するように制御する制御部とを含むことを特徴とする。【選択図】図５
2006254461.tif 000002
【特許請求の範囲】
【請求項１】
通信システムで、最初のレンジング要求(Ｒａｎｇｉｎｇ  Ｒｅｑｕｅｓｔ：ＲＮＧ_ＲＥＱ)メッセージのために割り当てられたアップリンク支援が十分でないと、一部情報を有するレンジング要求メッセージを送信し、残りの情報を有する追加レンジング要求メッセージの送信のための帯域幅割り当てを要求し、レンジング手順を遂行する端末であって、
所定の制御によってレンジング手順を遂行するためのメッセージを送受信する送受信部と、
前記レンジング手順の遂行時にレンジング要求メッセージを送信するためのアップリンクリソースが不足する場合に、基地局に追加ＲＮＧ_ＲＥＱメッセージの送信のために前記アップリンクリソースの追加割り当てを要求するアップリンクリソース割り当て要求メッセージを送信するように制御する制御部と、
を含むことを特徴とする端末。
【請求項２】
前記アップリンクリソース割り当て要求メッセージは予め設定されている接続識別子(Ｃｏｎｎｅｃｔｉｏｎ  Ｉｄｅｎｔｉｆｉｅｒ：ＣＩＤ)を含む帯域幅要求メッセージであることを特徴とする請求項１記載の端末。
【請求項３】
前記ＣＩＤは初期レンジングＣＩＤであることを特徴とする請求項２記載の端末。
【請求項４】
前記ＣＩＤは基本ＣＩＤであることを特徴とする請求項２記載の端末。
【請求項５】
前記アップリンクリソース割り当て要求メッセージは、追加送信するＲＮＧ_ＲＥＱメッセージが存在することを示す情報を含むＲＮＧ_ＲＥＱメッセージであることを特徴とする請求項１記載の端末。
【請求項６】
前記情報は、タイプ/長さ/値(Ｔｙｐｅ/Ｌｅｎｇｔｈ/Ｖａｌｕｅ：ＴＬＶ)形態で前記ＲＮＧ_ＲＥＱメッセージに含まれ、或いはピギーバック要求(ｐｉｇｇｙｂａｃｋ  ｒｅｑｕｅｓｔ)形態で前記ＲＮＧ_ＲＥＱメッセージに含まれることを特徴とする請求項５記載の端末。
【請求項７】
前記制御部は、前記基地局から受信された符号分割多重接続割り当て情報エレメント(ＣＤＭＡ_Ａｌｌｏｃａｔｉｏｎ_ＩＥ)に含まれるレンジングコード値が予め設定されている値を有する場合に、前記ＣＤＭＡ_Ａｌｌｏｃａｔｉｏｎ_ＩＥを前記アップリンクリソース割り当て要求メッセージに対応して前記基地局で割り当てられたアップリンクリソースに関する割り当て情報であると判定することを特徴とする請求項１記載の端末。
【請求項８】
前記制御部は、前記基地局から受信されたＣＤＭＡ_Ａｌｌｏｃａｔｉｏｎ_ＩＥに含まれるレンジングシンボルとレンジングサブチャンネル値が前記アップリンクリソース割り当て要求メッセージを送信したレンジングシンボルとレンジングサブチャンネル値と同一である場合に、前記ＣＤＭＡ_Ａｌｌｏｃａｔｉｏｎ_ＩＥが含むレンジングシンボルとレンジングサブチャンネル値に対応して前記追加ＲＮＧ_ＲＥＱメッセージを送信するように制御することを特徴とする請求項１記載の端末。
【請求項９】
通信システムにおけるレンジング手順を遂行する基地局であって、
所定の制御によってレンジング手順を遂行するためのメッセージを送受信する送受信部と、
端末から前記端末が前記レンジング手順を遂行するときに、レンジング要求(ＲＮＧ_ＲＥＱ)メッセージを送信するためのアップリンクリソースが不足することによって追加ＲＮＧ_ＲＥＱメッセージの送信のために前記アップリンクリソースの追加割り当てを要求するアップリンクリソース割り当て要求メッセージを受信すると、前記追加ＲＮＧ_ＲＥＱメッセージを送信するために前記端末にアップリンクリソースを割り当てるべきであると判定する制御部と、を含み、
前記アップリンクリソースは、前記制御部の制御によって前記端末に割り当てられることを特徴とする基地局。
【請求項１０】
前記アップリンクリソース割り当て要求メッセージは、予め設定されている接続識別子(ＣＩＤ)を含む帯域幅要求メッセージであることを特徴とする請求項９記載の基地局。
【請求項１１】
前記ＣＩＤは初期レンジングＣＩＤであることを特徴とする請求項１０記載の基地局。
【請求項１２】
前記ＣＩＤは基本ＣＩＤであることを特徴とする請求項１０記載の基地局。
【請求項１３】
前記アップリンクリソース割り当て要求メッセージは、追加送信するＲＮＧ_ＲＥＱメッセージが存在することを示す情報を含むＲＮＧ_ＲＥＱメッセージであることを特徴とする請求項９記載の基地局。
【請求項１４】
前記情報は、タイプ/長さ/値(ＴＬＶ)形態又はピギーバック要求の形態で前記ＲＮＧ_ＲＥＱメッセージに含まれることを特徴とする請求項１３記載の基地局。
【請求項１５】
前記制御部は、前記ＣＤＭＡ_Ａｌｌｏｃａｔｉｏｎ_ＩＥが含むレンジングコード値を予め設定されている値として表現し、前記ＣＤＭＡ_Ａｌｌｏｃａｔｉｏｎ_ＩＥが前記アップリンクリソース割り当て要求メッセージに対応して前記基地局で前記端末が追加ＲＮＧ-ＲＥＱメッセージを送信するために割り当てたアップリンクリソースに関する割り当て情報であることを示すように制御することを特徴とする請求項９記載の基地局。
【請求項１６】
前記制御部は、前記ＣＤＭＡ_Ａｌｌｏｃａｔｉｏｎ_ＩＥが含むレンジングシンボルとレンジングサブチャンネル値を前記アップリンクリソース割り当て要求メッセージを受信したレンジングシンボルとレンジングサブチャンネル値と同一に設定し、前記端末が前記追加ＲＮＧ_ＲＥＱメッセージを送信するように制御することを特徴とする請求項９記載の基地局。
【請求項１７】
通信システムにおける端末がレンジング手順を遂行する方法であって、
レンジング手順を遂行するときに、レンジング要求(ＲＮＧ_ＲＥＱ)メッセージを送信するためのアップリンクリソースが不足することを検出する段階と、
基地局に追加ＲＮＧ_ＲＥＱメッセージを送信するために、前記アップリンクリソースの追加割り当てを要求するアップリンクリソース割り当て要求メッセージを送信する段階と、
を含むことを特徴とする方法。
【請求項１８】
前記アップリンクリソース割り当て要求メッセージは、予め設定されている接続識別子(ＣＩＤ)を含む帯域幅要求メッセージであることを特徴とする請求項１７記載の方法。
【請求項１９】
前記ＣＩＤは初期レンジングＣＩＤであることを特徴とする請求項１８記載の方法。
【請求項２０】
前記ＣＩＤは基本ＣＩＤであることを特徴とする請求項１８記載の方法。
【請求項２１】
前記アップリンクリソース割り当て要求メッセージは、追加送信するＲＮＧ_ＲＥＱメッセージが存在することを示す情報を含むＲＮＧ_ＲＥＱメッセージであることを特徴とする請求項１７記載の方法。
【請求項２２】
前記情報は、タイプ/長さ/値(ＴＬＶ)形態、或いはピギーバック要求形態で前記ＲＮＧ_ＲＥＱメッセージに含まれることを特徴とする請求項２１記載の方法。
【請求項２３】
前記基地局から符号分割多重接続割り当て情報エレメント(ＣＤＭＡ_Ａｌｌｏｃａｔｉｏｎ_ＩＥ)を受信する段階と、
前記ＣＤＭＡ_Ａｌｌｏｃａｔｉｏｎ_ＩＥに含まれるレンジングコード値が予め設定されている値を有する場合に、前記ＣＤＭＡ_Ａｌｌｏｃａｔｉｏｎ_ＩＥを前記アップリンクリソース割り当て要求メッセージに対応して前記基地局で割り当てたアップリンクリソースに関する割り当て情報であると判定する段階と、
をさらに含むことを特徴とする請求項１７記載の方法。
【請求項２４】
前記基地局から符号分割多重接続割り当て情報エレメント(ＣＤＭＡ_Ａｌｌｏｃａｔｉｏｎ_ＩＥ)を受信する段階と、
前記ＣＤＭＡ_Ａｌｌｏｃａｔｉｏｎ_ＩＥに含まれるレンジングシンボルとレンジングサブチャンネル値が前記アップリンクリソース割り当て要求メッセージを送信したレンジングシンボルとレンジングサブチャンネル値と同一である場合に、前記ＣＤＭＡ_Ａｌｌｏｃａｔｉｏｎ_ＩＥに含まれるレンジングシンボルとレンジングサブチャンネル値に対応して前記追加ＲＮＧ_ＲＥＱメッセージを送信する段階と、
をさらに含むことを特徴とする請求項１７記載の方法。
【請求項２５】
通信システムの基地局におけるレンジング手順を遂行する方法であって、
前記レンジング手順を遂行するときに、レンジング要求(ＲＮＧ_ＲＥＱ)メッセージを送信するためのアップリンクリソースが不足することによって、追加ＲＮＧ_ＲＥＱメッセージの送信のために前記アップリンクリソースの追加割り当てを要求するアップリンクリソース割り当て要求メッセージを端末から受信する段階と、
前記追加ＲＮＧ_ＲＥＱメッセージの送信のために前記端末にアップリンクリソースを割り当てる段階と、
前記割り当てられたアップリンクリソースに関する情報を符号分割多重接続割り当て情報エレメント(ＣＤＭＡ_Ａｌｌｏｃａｔｉｏｎ_ＩＥ)に含んで送信する段階と、
を含むことを特徴とする方法。
【請求項２６】
前記アップリンクリソース割り当て要求メッセージは、予め設定されている接続識別子(ＣＩＤ)を含む帯域幅要求メッセージであることを特徴とする請求項２５記載の方法。
【請求項２７】
前記ＣＩＤは初期レンジングＣＩＤであることを特徴とする請求項２６記載の方法。
【請求項２８】
前記ＣＩＤは基本ＣＩＤであることを特徴とする請求項２６記載の方法。
【請求項２９】
前記アップリンクリソース割り当て要求メッセージは、追加送信するＲＮＧ_ＲＥＱメッセージが存在することを示す情報を含むＲＮＧ_ＲＥＱメッセージであることを特徴とする請求項２５記載の方法。
【請求項３０】
前記情報は、タイプ/長さ/値(ＴＬＶ)形態或いはピギーバック要求形態で前記ＲＮＧ_ＲＥＱメッセージに含まれることを特徴とする請求項２９記載の方法。
【請求項３１】
前記ＣＤＭＡ_Ａｌｌｏｃａｔｉｏｎ_ＩＥに含まれるレンジングコード値は予め設定されている値で表示され、前記ＣＤＭＡ_Ａｌｌｏｃａｔｉｏｎ_ＩＥが前記アップリンクリソース割り当て要求メッセージに対応して前記基地局で割り当てられたアップリンクリソースに関する割り当て情報であることを示すことを特徴とする請求項２５記載の方法。
【請求項３２】
前記ＣＤＭＡ_Ａｌｌｏｃａｔｉｏｎ_ＩＥに含まれるレンジングシンボルとレンジングサブチャンネル値を前記アップリンクリソース割り当て要求メッセージを受信したレンジングシンボルとレンジングサブチャンネル値と同一に設定し、前記端末が前記ＣＤＭＡ_Ａｌｌｏｃａｔｉｏｎ_ＩＥに含まれるレンジングシンボルとレンジングサブチャンネル値に対応して前記追加ＲＮＧ_ＲＥＱメッセージを送信するように制御することを特徴とする請求項２５記載の方法。
【発明の詳細な説明】
【技術分野】
【０００１】
本発明は通信システムに関し、特に通信システムにおけるレンジング手順を遂行するシステム及び方法に関するものである。
【背景技術】
【０００２】
以下、本発明の実施形態はＩＥＥＥ８０２．１６のＯＦＤＭＡ(Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)システムに基づいて説明する。
【０００３】
図１は、一般的な広帯域無線接続通信システムの構成を示す図である。図１を参照すると、端末(Ｓｕｂｓｃｒｉｂｅｒ  Ｓｔａｔｉｏｎ：ＳＳ)１０は、一般に移動性を有し、基地局(Ｂａｓｅ  Ｓｔａｔｉｏｎ：ＢＳ)２０を通じてバックボーンネットワーク３０に接続する。端末１０は、基地局２０と加入者との間で接続可能にする。基地局２０は、端末１０に対する制御、管理、接続性(ｃｏｎｎｅｃｔｉｖｉｔｙ）を提供する。そして、バックボーンネットワーク３０は、端末１０の認証及びサービス認証のためのＡＳＡ(Ａｕｔｈｅｎｔｉｃａｔｉｏｎ  ａｎｄ  Ｓｅｒｖｉｃｅ  Ａｕｔｈｏｒｉｚａｔｉｏｎ)サーバ４０に接続される。
【０００４】
端末１０は、広帯域無線接続通信システムで通信するために所定の基地局２０とネットワークエントリ(ｎｅｔｗｏｒｋ  ｅｎｔｒｙ)プロセスを成功的に完了する必要がある。ネットワークエントリプロセスは、ダウンリンク(Ｄｏｗｎｌｉｎｋ：ＤＬ)チャンネル同期化、初期レンジング(ｉｎｉｔｉａｌ  ｒａｎｇｉｎｇ)、能力交渉(ｃａｐａｂｉｌｉｔｉｅｓ  ｎｅｇｏｔｉａｔｉｏｎ)、認証メッセージ交換(ａｕｔｈｅｎｔｉｃａｔｉｏｎ  ｍｅｓｓａｇｅ  ｅｘｃｈａｎｇｅ)、登録、及びＩＰ接続(Ｉｎｔｅｒｎｅｔ  Ｐｒｏｔｏｃｏｌ  ｃｏｎｎｅｃｔｉｖｉｔｙ)の段階に分けられる。ネットワークエントリプロセスが完了すると、端末１０は、一つ以上のサービスフロー(ｓｅｒｖｉｃｅ  ｆｌｏｗｓ)を生成して基地局２０にデータを伝送する。このようなネットワークエントリプロセスで初期レンジング段階は、図２を参照して説明する。
【０００５】
図２は、広帯域無線接続通信システムで端末の初期レンジング手順を示す図である。端末１０は、ステップ１０１で、初期レンジングコード(Ｉｎｉｔｉａｌ  Ｒａｎｇｉｎｇ  Ｃｏｄｅ)を競争（ｃｏｎｔｅｎｔｉｏｎ）方式で基地局２０に伝送する。このようなコードレンジングは、端末１０のアップリンクタイミング及びパワーオフセットの調節を遂行可能にする。基地局２０は、ステップ１０３で、ＲＮＧ_ＲＳＰメッセージに端末１０から伝送されたコードレンジング情報とパワーオフセット調節値を表示してブロードキャスティングする。端末１０は、ＲＮＧ_ＲＳＰメッセージを受信すると、コードレンジング情報を確認してパワーオフセットを調節し、ＲＮＧ_ＲＳＰメッセージの状態(ｓｔａｔｕｓ)フィールドが‘継続（ｃｏｎｔｉｎｕｅ）’である場合に、ステップ１０５でコードレンジングを再び試す。
【０００６】
基地局２０は、端末１０によって試されるコードレンジングを通じてタイミング及びパワー調節が遂行されたと判定すると、ステップ１０７で、ＲＮＧ_ＲＳＰメッセージの状態フィールドを‘成功（ｓｕｃｃｅｓｓ）’として表示して伝送する。そして、基地局２０は、符号分割多重接続割り当て情報エレメント（ＣＤＭＡ(Ｃｏｄｅ  Ｄｉｖｉｓｉｏｎ  Ｍｕｌｔｉｐｌｅ  Ａｃｃｅｓｓ)_Ａｌｌｏｃａｔｉｏｎ_ＩＥ(Ｉｎｆｏｒｍａｔｉｏｎ  Ｅｌｅｍｅｎｔ)：以下、“ＣＤＭＡ_Ａｌｌｏｃａｔｉｏｎ_ＩＥ”とする）を有するＵＬ-ＭＡＰを通じて端末１０がレンジング要求(Ｒａｎｇｉｎｇ  Ｒｅｑｕｅｓｔ：以下、“ＲＮＧ_ＲＥＱ”とする)メッセージを伝送可能なアップリンク区間を割り当てて適用する。ＣＤＭＡ_Ａｌｌｏｃａｔｉｏｎ_ＩＥは、端末１０から伝送されたコードレンジング情報と、端末１０に割り当てられるアップリンクリソース量を含む。ＲＮＧ_ＲＳＰメッセージの状態フィールドが‘成功’であると、端末１０は、コードレンジングを終了し、メッセージレンジングを試す。
【０００７】
一方、端末１０は、ステップ１１１で、割り当てられたアップリンク区間にＲＮＧ_ＲＥＱメッセージを伝送する。端末１０は、ステップ１１３で、基地局２０からＲＮＧ_ＲＳＰメッセージを受信すると、レンジング手順を終了する。レンジング手順を通じて、端末１０は、基本接続識別子(Ｂａｓｉｃ  Ｃｏｎｎｅｃｔｉｏｎ  Ｉｄｅｎｔｉｆｉｅｒ：以下、“基本ＣＩＤ”とする)、第１のＣＩＤ(Ｐｒｉｍａｒｙ  ＣＩＤ)のような基本的なＣＩＤの割り当てを受ける。このようなＣＩＤは、該当基地局２０から端末１０に割り当てられた値で、基地局２０に接続する間に端末１０を識別する情報となる。ＲＮＧ_ＲＥＱメッセージを通じて伝送される情報は、端末１０のＭＡＣアドレス情報のような数個の情報がある。基地局２０は、このような情報に基づいてＲＮＧ_ＲＳＰメッセージを通じて応答する。ＲＮＧ_ＲＳＰメッセージに含まれた基本ＣＩＤを通じて、端末１０は、ステップ１１５で、能力交渉(Ｃａｐａｂｉｌｉｔｉｅｓ  Ｎｅｇｏｔｉａｔｉｏｎ)手順を遂行するために、能力要求メッセージ(ＳＢＣ(ＳＳ Ｂａｓｉｃ  Ｃａｐａｂｉｌｉｔｙ)-ＲＥＱ)を伝送する。
ＲＮＧ_ＲＥＱメッセージは、タイプ/長さ/値(Ｔｙｐｅ/Ｌｅｎｇｔｈ/Ｖａｌｕｅ：以下、“ＴＬＶ”とする)形態で含まれうる。一つのＲＮＧ_ＲＥＱメッセージに含まれる情報は、実現や状況に従って異なるため、ＲＮＧ_ＲＥＱメッセージのサイズも変化する可能性がある。
【０００８】
しかしながら、ＲＮＧ_ＲＥＱメッセージを伝送する時点で、すなわち、端末１０は、ＲＮＧ_ＲＳＰメッセージを受信する前にはいかなる固有の(ｕｎｉｑｕｅ)ＣＩＤも割り当てられないため、基地局２０にアップリンク帯域幅割り当てを要求することができない。基地局２０は、割り当てられたアップリンク区間で端末１０のＲＮＧ_ＲＥＱメッセージが受信されない場合に、パケット損失のためであるか、或いは、端末１０が伝送を試さないためであるかを判定することができない。したがって、端末１０は、更にコードレンジングを遂行し、基地局２０からＣＤＭＡ_Ａｌｌｏｃａｔｉｏｎ_ＩＥを再び受信してＲＮＧ_ＲＥＱメッセージを伝送可能になる。この場合にも、基地局２０がＣＤＭＡ_Ａｌｌｏｃａｔｉｏｎ_ＩＥを通じて十分なリソースを割り当てるとの保障がないため、ＲＮＧ_ＲＥＱメッセージ伝送の問題は相変らず残っている。
【発明の開示】
【発明が解決しようとする課題】
【０００９】
したがって、上記の従来技術の問題点を解決するために、本発明の目的は、レンジングを試す間に割り当てられたアップリンクリソースの量が不足した場合に発生する問題を解決することにある。
本発明は、端末の効率的なネットワークエントリ手順が支援できるだけでなく、現在ＩＥＥＥ８０２．１６及び８０２．１６ｅの規格で発生する可能性がある初期ネットワークエントリ手順の問題点を解決することができる。
【課題を解決するための手段】
【００１０】
上記のような目的を達成するために、本発明は、通信システムで、最初のレンジング要求(Ｒａｎｇｉｎｇ  Ｒｅｑｕｅｓｔ：ＲＮＧ_ＲＥＱ)メッセージのために割り当てられたアップリンク支援が十分でないと、一部情報を有するレンジング要求メッセージを送信し、残りの情報を有する追加レンジング要求メッセージの送信のための帯域幅割り当てを要求し、レンジング手順を遂行する端末であって、所定の制御によってレンジング手順を遂行するためのメッセージを送受信する送受信部と、前記レンジング手順の遂行時にレンジング要求メッセージを送信するためのアップリンクリソースが不足する場合に、基地局に追加ＲＮＧ_ＲＥＱメッセージの送信のために前記アップリンクリソースの追加割り当てを要求するアップリンクリソース割り当て要求メッセージを送信するように制御する制御部とを含むことを特徴とする。
【００１１】
また、本発明は、通信システムにおけるレンジング手順を遂行する基地局であって、所定の制御によってレンジング手順を遂行するためのメッセージを送受信する送受信部と、端末から前記端末が前記レンジング手順を遂行するときに、レンジング要求(ＲＮＧ_ＲＥＱ)メッセージを送信するためのアップリンクリソースが不足することによって追加ＲＮＧ_ＲＥＱメッセージの送信のために前記アップリンクリソースの追加割り当てを要求するアップリンクリソース割り当て要求メッセージを受信すると、前記追加ＲＮＧ_ＲＥＱメッセージを送信するために前記端末にアップリンクリソースを割り当てるべきであると判定する制御部と、を含み、前記アップリンクリソースは、前記制御部の制御によって前記端末に割り当てられることを特徴とする。
【００１２】
また、本発明は、通信システムにおける端末がレンジング手順を遂行する方法であって、レンジング手順を遂行するときに、レンジング要求(ＲＮＧ_ＲＥＱ)メッセージを送信するためのアップリンクリソースが不足することを検出する段階と、基地局に追加ＲＮＧ_ＲＥＱメッセージを送信するために、前記アップリンクリソースの追加割り当てを要求するアップリンクリソース割り当て要求メッセージを送信する段階と、を含むことを特徴とする。
【発明の効果】
【００１３】
既存の初期レンジング過程で、端末に割り当てたアップリンクリソースがＲＮＧ_ＲＥＱメッセージを伝送するのに不足した場合に、端末はコードレンジングを再び試さなければならない。また、コードレンジングを再び試し、再び割り当てられた区間が十分なリソースを保障しないため、端末のネットワークエントリの遂行に長い遅延が発生し、或いはそのエントリに失敗をもたらす可能性がある。本発明では、このような問題点を解決して、端末が初期レンジング時に割り当てられたリソースの量が少ないときにも効率的にレンジングを進行可能にする。このような発明は、端末のネットワークエントリ過程で発生する可能性がある遅延を短縮することができる。
【発明を実施するための最良の形態】
【００１４】
以下、本発明の望ましい実施形態を添付の図面を参照して詳細に説明する。
下記の説明において、同一の構成要素に対してはできるだけ同一の参照番号及び参照符号を使用する。また、本発明に関連した公知機能或いは構成に関する具体的な説明が本発明の要旨を不明にする場合に、その詳細な説明を省略する。
【００１５】
本発明は、広帯域無線接続通信システムで支援するアップリンク無線接続に関する技術であって、端末が初期ネットワークに進入する効率的な方法を提案する。初期ネットワークエントリの際に、端末は、コードレンジングを通じてアップリンク同期及びパワー調節などを遂行する。コードレンジングに成功した端末は、ＲＮＧ_ＲＥＱメッセージを伝送することができる区間を基地局から割り当てを受け、ＲＮＧ_ＲＥＱ/ＲＮＧ_ＲＳＰのメッセージレンジングを通じてネットワーク接続を遂行することができる。しかしながら、基地局が端末のメッセージレンジングのために割り当てたアップリンクリソースが十分でない場合に、端末は、ＲＮＧ_ＲＥＱメッセージを送信することができないという問題が発生する。現在、ＩＥＥＥ８０２．１６及び８０２．１６ｅの規格では、この場合に基地局は端末に割り当てられたアップリンクリソースが不足することが分からないため、端末は、再びコードレンジングを試さなければならない。本発明では、このような限界を克服することができる方法を提示する。
本発明の実施形態は、超高速無線インターネットネットワークに適用されることができる。
以下、本実施形態ではＣＤＭＡ_Ａｌｌｏｃａｔｉｏｎ_ＩＥを使用すると説明するが、該当端末がレンジングのためのアップリンクリソースが割り当てられた情報であることが分かるようにするいかなる形態のメッセージフォーマットも可能である。
【００１６】
図３はＲＮＧ_ＲＥＱメッセージに含まれた情報を示す図で、図４は帯域幅要求メッセージに含まれた情報を示す図である。
図３に示すように、メッセージタイプ２０１、ダウンリンクチャンネルＩＤ・２０３、要求ダウンリンクバーストプロファイル（Ｒｅｑｕｅｓｔｅｄ  Ｄｏｗｎｌｉｎｋ  Ｂｕｒｓｔ  Ｐｒｏｆｉｌｅ）２０５、及びＳＳ  ＭＡＣアドレス２０７は、必ずＲＮＧ_ＲＥＱメッセージに含まれるが、それ以外の値は含まれなくてもよい。
図３を参照すると、初期レンジングの間に、端末は、要求ダウンリンクバーストプロファイル２０５と、ＳＳ  ＭＡＣアドレス２０７のようなタイプ/長さ/値(Ｔｙｐｅ/Ｌｅｎｇｔｈ/Ｖａｌｕｅ：以下、“ＴＬＶ”とする)フィールドを含むＲＮＧ_ＲＥＱメッセージを生成する。要求ダウンリンクバーストプロファイル、レンジングアノマリ（Ｒａｎｇｉｎｇ  Ａｎｏｍａｌｉｅｓ）、ＡＡＳ(Ａｄａｐｔｉｖｅ  Ａｎｔｅｎａ  Ｓｙｓｔｅｍ)ブロードキャスト能力（ｂｒｏａｄｃａｓｔ  ｃａｐａｂｉｌｉｔｙ）のようなＴＬＶフィールドがＲＮＧ_ＲＥＱメッセージに含まれることができる。そして、基地局は、端末にアップリンクリソースを割り当てるために可能なすべてのＴＬＶエレメントを考慮する。
図３を参照すると、ハンドオーバーレンジングの間に、サービング（Ｓｅｒｖｉｎｇ）ＢＳ  ＩＤ、位置更新要求（Ｌｏｃａｔｉｏｎ  Ｕｐｄａｔｅ  Ｒｅｑｕｅｓｔ）、ページングコントローラ（Ｐａｇｉｎｇ  Ｃｏｎｔｒｏｌｌｅｒ）ＩＤのようなフィールドがＲＮＧ_ＲＥＱメッセージに含まれ、端末は、ＨＯ  ＩＤ(Ｈａｎｄｏｖｅｒ  Ｉｄｅｎｔｉｆｉｅｒ)、パワーダウンインジケータ（Ｐｏｗｅｒ  ｄｏｗｎ  Ｉｎｄｉｃａｔｏｒ）、及び省電力クラスパラメータの提案された変更（Ｐｏｗｅｒ  Ｓａｖｉｎｇ  Ｃｌａｓｓ  Ｐａｒａｍｅｔｅｒｓ  Ｐｒｏｐｏｓｅｄ  Ｃｈａｎｇｅｓ）のようなフィールドを含むことができる。そして、基地局は可能なすべてのＴＬＶエレメントに対してアップリンクリソースを割り当てる。
【００１７】
基地局２０が、端末１０のコードレンジングに成功した後に、ＣＤＭＡ_Ａｌｌｏｃａｔｉｏｎ_ＩＥを通じてアップリンク区間を任意に割り当て、このように割り当てられたリソースは、端末によって伝送しようとするＲＮＧ_ＲＥＱメッセージの情報量に従って不足することもあり得る。
【００１８】
第１の実施形態により、端末は、基地局が端末のメッセージレンジングのために割り当てられたアップリンクリソースが十分でない場合に、初期レンジングＣＩＤを含んだ“帯域幅要求(Ｂａｎｄｗｉｄｔｈ  Ｒｅｑｕｅｓｔ)”を基地局に送信する。基地局は、この場合に、端末がレンジング過程で要求する“帯域幅要求”であると判定し、ＣＤＭＡ_Ａｌｌｏｃａｔｉｏｎ_ＩＥを通じてアップリンク区間を再び割り当てられる。このとき、端末が要求した“帯域幅要求”情報を通じて十分なアップリンクリソースを割り当てられるため、端末は、ＲＮＧ_ＲＥＱメッセージを伝送してＲＮＧ_ＲＳＰメッセージを受信してメッセージレンジングを成功的に遂行することができる。
【００１９】
第２の実施形態により、基地局は、コードレンジングを成功的に終了した端末にＣＤＭＡ_Ａｌｌｏｃａｔｉｏｎ_ＩＥにリソースを割り当てるときに、少なくとも基本的なＴＬＶエレメントを含むことができる所定のアップリンクリソースを端末に割り当てる。すなわち、基地局は、アップリンクリソースの量を端末の基本情報を伝送することができるリソース量で割り当てる。 
割り当てられたアップリンクリソース量が伝送しようとするＲＮＧ_ＲＥＱメッセージを伝送するのに十分でない場合に、端末は、少なくとも基本的な情報を含んだＲＮＧ_ＲＥＱメッセージを基地局に送信するのに、追加的に伝送するための帯域幅を要求するためにＲＮＧ_ＲＥＱメッセージに、例えば、“レンジング状態表示（Ｒａｎｇｉｎｇ  ｓｔａｔｕｓ  ｉｎｄｉｃａｔｉｏｎ）”情報を追加して端末が追加的なＲＮＧ_ＲＥＱメッセージ伝送を要求することを基地局に知らせる。この“レンジング状態表示”情報は、“次のレンジング要求のための要求帯域幅（Ｒｅｑｕｅｓｔｅｄ  Ｂａｎｄｗｉｄｔｈ  ｆｏｒ  ｎｅｘｔ  ｒａｎｇｉｎｇ  ｒｅｑｕｅｓｔ）”のようなＴＬＶフィールドやピギーバック要求(ｐｉｇｇｙｂａｃｋ  ｒｅｑｕｅｓｔ)を通じてＲＮＧ_ＲＥＱメッセージに含まれることができる。基地局は、最小限の情報を含むＲＮＧ_ＲＥＱメッセージを受信すると、端末に基本ＣＩＤを割り当てる。また、基地局は、端末が伝送したピギーバック要求に対してレンジング手順による追加的な情報があることを判定し、端末にアップリンクリソースを割り当てる。
【００２０】
第３の実施形態により、基地局は、コードレンジングを成功的に終了した端末にＣＤＭＡ_Ａｌｌｏｃａｔｉｏｎ_ＩＥを通じてリソースを割り当てるときに、アップリンクリソースを割り当てるかに対する条件に従ってアップリンクリソース量を決定し、十分な量のリソースを割り当てる。このような条件では、端末が伝送したＣＤＭＡコードのコードセット情報、レンジング区間情報などを例として挙げられる。したがって、端末は、ＲＮＧ_ＲＥＱメッセージを伝送するためのアップリンクリソースが不足することはほとんどない。
【００２１】
図５〜図７を参照して、本発明の第１の実施形態による基地局２０と端末１０との間のレンジング手順について説明する。
図５は本発明の実施形態による基地局と端末との間のレンジングにおけるメッセージ手順を示す図で、図６は本発明の実施形態による“帯域幅要求”メッセージに含まれた情報を示す図で、図７は本発明の実施形態によるＣＤＭＡ_Ａｌｌｏｃａｔｉｏｎ_ＩＥメッセージに含まれた情報を示す図である。
【００２２】
図５を参照すると、基地局２０によって端末１０のメッセージレンジングのために割り当てられたアップリンクリソースが十分でない場合に、端末１０は、初期レンジングＣＩＤを含んだ“帯域幅要求”を基地局２０に送信する。
具体的に、端末１０は、ステップ３０１で、初期レンジングコードを競争方式で基地局２０に伝送する。基地局２０は、ステップ３０３で、ＲＮＧ_ＲＳＰメッセージに端末１０によって伝送されたコードレンジング情報とパワーオフセット調節値を表示してブロードキャスティングする。このとき、基地局２０は、端末１０によって試されるコードレンジングを通じてタイミング及びパワー調節が遂行されたと判定すると、ＲＮＧ_ＲＳＰメッセージの状態フィールドを‘成功’として表示し、コードレンジングがさらに必要であると判定すると、ＲＮＧ_ＲＳＰメッセージの状態フィールドを‘継続’として表示して伝送する。
【００２３】
ステップ３０３で受信されたＲＮＧ_ＲＳＰメッセージの状態フィールドが‘継続’である場合に、端末１０は、ステップ３０５でコードレンジングを再び試す。基地局２０は、端末１０によって試されるコードレンジングを通じてタイミング及びパワー調節が遂行されたと判定すると、ステップ３０７で、ＲＮＧ_ＲＳＰメッセージの状態フィールドを‘成功’として表示して伝送する。そして、同時に基地局２０は、ステップ３０９で、図６に示すように、ＣＤＭＡ_Ａｌｌｏｃａｔｉｏｎ_ＩＥのようなＵＬ-ＭＡＰを端末１０に伝送する。ＣＤＭＡ_Ａｌｌｏｃａｔｉｏｎ_ＩＥには、端末１０によって伝送されたコードレンジング情報と端末１０に割り当てるアップリンクリソースの量が表示されている。端末１０は、メッセージレンジングを試すためにＲＮＧ_ＲＥＱメッセージを伝送しようとするときに、割り当てられたアップリンクリソースが不足する場合に、ステップ３１１で該当アップリンク区間に図６に示すような“帯域幅要求”ヘッダー（Ｂａｎｄｗｉｄｔｈ  Ｒｅｑｕｅｓｔ  ｈｅａｄｅｒ）を伝送する。図６を参照すると、本発明の実施形態による“帯域幅要求”ヘッダーは、ＣＩＤフィールドに初期レンジングＣＩＤを使用する。すなわち、端末１０は、割り当てられたアップリンクリソースが不足する場合に、初期レンジングＣＩＤを含んだ“帯域幅要求”ヘッダーを基地局２０に伝送する。
【００２４】
基地局２０は、初期レンジングＣＩＤを含んだ“帯域幅要求”ヘッダーを受信すると、レンジング過程でアップリンクリソースを要求する“帯域幅要求”であると判定し、ＣＤＭＡ_Ａｌｌｏｃａｔｉｏｎ_ＩＥを通じてアップリンク区間を再び割り当てる。このとき、端末１０が要求した“帯域幅要求”情報を通じて十分なアップリンクリソースが割り当てられるため、端末１０は、ＲＮＧ_ＲＥＱメッセージを伝送し、ＲＮＧ_ＲＳＰメッセージを受信してメッセージレンジングを成功的に遂行することができる。
【００２５】
このとき、基地局２０は、ＣＤＭＡ_Ａｌｌｏｃａｔｉｏｎ_ＩＥにレンジングコードを予め定められたコード、例えば０x００で表示する。基地局２０は、“帯域幅要求”ヘッダーを受信したシンボルとサブチャンネルを各々ＣＤＭＡ_Ａｌｌｏｃａｔｉｏｎ_ＩＥのレンジングシンボルとレンジングサブチャンネルで表示する。すなわち、基地局２０は、帯域幅を要求した端末１０がわからないため、端末１０が“帯域幅要求”ヘッダーを送信したレンジングシンボルとレンジングサブチャンネル位置で、ＣＤＭＡ_Ａｌｌｏｃａｔｉｏｎ_ＩＥを送信する。したがって、端末１０は、レンジングコードから該当ＣＤＭＡ_Ａｌｌｏｃａｔｉｏｎ_ＩＥがＲＮＧ_ＲＥＱメッセージのための帯域幅を割り当てるためであることがわかる。そして、端末１０は、レンジングシンボルとレンジングサブチャンネルの位置から自分が送信した“帯域幅要求”ヘッダーに対する応答として伝送されたＣＤＭＡ_Ａｌｌｏｃａｔｉｏｎ_ＩＥを識別することができる。
【００２６】
言い換えれば、ＣＤＭＡ_Ａｌｌｏｃａｔｉｏｎ_ＩＥを受信した端末１０は、レンジングコード値が０x００である場合に、初期レンジングＣＩＤを通じて“帯域幅要求”に対する割り当て情報であることを判定する。そして、端末１０は、レンジングシンボルとレンジングサブチャンネル値が自分が“帯域幅要求”ヘッダーを送信した位置と同一であるかを比較する。端末１０は、レンジングコード値が０x００で、ＣＤＭＡ_Ａｌｌｏｃａｔｉｏｎ_ＩＥのレンジングシンボルとレンジングサブチャンネル値が、“帯域幅要求”ヘッダーを送信した位置と同一であると、ステップ３１７で割り当てられた区間に自分のＲＮＧ_ＲＥＱメッセージを伝送する。図７に示す本発明の実施形態によるＣＤＭＡ_Ａｌｌｏｃａｔｉｏｎ_ＩＥは、既存のＣＤＭＡ_Ａｌｌｏｃａｔｉｏｎ_ＩＥのフォーマットをその通りに使用する。本実施形態により、端末１０は、レンジングコード値からＣＤＭＡ_Ａｌｌｏｃａｔｉｏｎ_ＩＥに含まれた値がレンジングのためのものであるか、或いは帯域幅の割り当てのためのものであるかを識別する。
【００２７】
端末１０は、ステップ３１９で基地局２０からＲＮＧ_ＲＳＰメッセージを受信すると、レンジング手順が終了する。次に、端末１０は、ステップ３２１で能力交渉(Ｃａｐａｂｉｌｉｔｉｅｓ  Ｎｅｇｏｔｉａｔｉｏｎ)手順を遂行するために能力要求メッセージ(ＳＢＣ(ＳＳ  Ｂａｓｉｃ  Ｃａｐａｂｉｌｉｔｙ)-ＲＥＱ)を伝送する。
【００２８】
このように基地局２０は、初期レンジングＣＩＤを含む“帯域幅要求”ヘッダーを受信すると、レンジング過程で要求する“帯域幅要求”であると判定し、ＣＤＭＡ_Ａｌｌｏｃａｔｉｏｎ_ＩＥを通じてアップリンク区間を再び割り当てる。このとき、端末１０が要求した“帯域幅要求”情報を通じて十分なアップリンクリソースを割り当てることができるため、端末１０は、ＲＮＧ_ＲＥＱメッセージを伝送し、ＲＮＧ_ＲＳＰメッセージを受信してメッセージレンジングを成功的に遂行可能である。
また、本発明は、“帯域幅要求”ヘッダーには、初期レンジングＣＩＤだけでなく、それ以外に異なる形態のＣＩＤも適用可能であることはもちろんである。
【００２９】
図８〜図１０を参照して、本発明の第２の実施形態による基地局と端末との間のレンジング手順について説明する。
図８は、本発明の実施形態による基地局と端末との間のレンジングにおけるメッセージの手順を示す図である。
図８を参照すると、基地局２０は、コードレンジングを成功的に終了した端末１０にＣＤＭＡ_Ａｌｌｏｃａｔｉｏｎ_ＩＥを通じて、リソースを割り当てるときに、少なくとも必須的なＴＬＶ情報を伝送可能にする最小量以上のアップリンクリソースを端末１０に割り当てる。
【００３０】
具体的に、端末１０は、ステップ４０１で、初期レンジングコードを競争方式で基地局２０に伝送する。基地局２０は、ステップ４０３で、ＲＮＧ_ＲＳＰメッセージに端末１０が伝送したコードレンジング情報とパワーオフセット調節値を表示してブロードキャスティングする。ステップ４０３で受信したＲＮＧ_ＲＳＰメッセージの状態フィールドが‘継続’である場合に、端末１０は、ステップ４０５でコードレンジングを再び試す。基地局２０は、端末１０が試すコードレンジングを通じてタイミング及びパワー調節が遂行されたと判定すると、ステップ４０７でＲＮＧ_ＲＳＰメッセージの状態フィールドを‘成功’として表示して伝送する。
【００３１】
基地局２０は、ステップ４０９で少なくとも基本情報を伝送可能なアップリンクリソースを割り当てたＣＤＭＡ_Ａｌｌｏｃａｔｉｏｎ_ＩＥを端末１０に伝送する。例えば、基地局２０は、図３に示したＲＮＧ_ＲＥＱメッセージで必須的なレンジング情報として、メッセージタイプ２０１、ダウンリンクチャンネルＩＤ・２０３、要求ダウンリンクバーストプロファイル２０５、ＳＳ  ＭＡＣアドレス２０７を少なくとも乗せることができるダウンリンクリソースを割り当てたＣＤＭＡ_Ａｌｌｏｃａｔｉｏｎ_ＩＥを端末１０に伝送する。
すなわち、基地局２０は、成功的なコードレンジングを終了した端末１０に“レンジング要求のための最小リソース(Ｍｉｎｉｍｕｍ  ｒｅｓｏｕｒｃｅ  ｆｏｒ  Ｒａｎｇｉｎｇ  Ｒｅｑｕｅｓｔ)”以上のアップリンクリソースをＣＤＭＡ_Ａｌｌｏｃａｔｉｏｎ_ＩＥを通じて割り当てる。このとき、“レンジング要求のための最小リソース”は、端末１０のＭＡＣヘッダー、グラントサブヘッダー（Ｇｒａｎｔ  ｓｕｂｈｅａｄｅｒ）、ＭＡＣアドレスなどの最小情報を含むＲＮＧ_ＲＥＱメッセージを支援することができるアップリンクのリソース量を示す。
【００３２】
端末１０は、ステップ４１１で、少なくとも基本的な情報を含んだＲＮＧ_ＲＥＱメッセージを基地局２０に伝送する。このとき、端末１０は、基地局２０に伝送する追加的なＲＮＧ_ＲＥＱ情報があると、追加ＲＮＧ_ＲＥＱ情報の存在を表示し、或いはＲＮＧ_ＲＥＱメッセージに帯域幅割り当て要求を表示する。すなわち、端末１０は、割り当てられたアップリンクリソース量が伝送しようとするＲＮＧ_ＲＥＱメッセージを伝送するのに充分でない場合に、追加的に伝送するための帯域幅を要求するためにＲＮＧ_ＲＥＱメッセージに、例えば、“レンジング状態表示”情報を追加し、端末１０が追加的なＲＮＧ_ＲＥＱメッセージ伝送を要求することを基地局２０に知らせる。この“レンジング状態表示”情報は、“次のレンジング要求のための要求帯域幅”のようなＴＬＶフィールドやピギーバック要求を通じてＲＮＧ_ＲＥＱメッセージに含まれることができる。言い換えれば、帯域幅割り当て要求の表示又は追加ＲＮＧ_ＲＥＱ情報存在の表示は、ＲＮＧ_ＲＥＱメッセージに帯域幅割り当て要求のためのピギーバック要求を含める方法と、ＲＮＧ_ＲＥＱメッセージのペイロードに帯域幅割り当て要求のためのＴＶＬフィールドを追加する方法がある。第２の実施形態はこれに限定されずに当業者により実現可能なすべての方式でＲＮＧ_ＲＥＱメッセージに帯域幅割り当て要求を表示することが可能である。
【００３３】
ＲＮＧ_ＲＥＱメッセージに帯域幅割り当て要求のためのピギーバック要求を含める場合に、基地局に伝送されるＲＮＧ_ＲＥＱメッセージのフォーマットは、図９に示すようである。図９を参照すると、ＲＮＧ_ＲＥＱメッセージ４３０は、ヘッダー４３１、サブヘッダー４３３、及びペイロード４３５を含む。ＲＮＧ_ＲＥＱメッセージに最小限の情報のみを乗せるようにダウンリンクリソースが割り当てられたため、端末１０は、必須的なレンジング情報以外に伝送するレンジング情報があると、最小情報(ＭＡＣアドレスなど)とピギーバック(帯域幅)要求を含むＲＮＧ_ＲＥＱメッセージをアップリンクに伝送する。ピギーバック要求は、端末１０が基地局２０にレンジング手順による情報を追加的に伝送するための帯域幅を要求するためである。このようなサブヘッダーの存在を知らせるために、図１０に示すようにヘッダー４３１のタイプフィールドにピギーバック要求の存在を示す値４７０が存在する。
【００３４】
ＲＮＧ_ＲＥＱメッセージのペイロードに帯域幅割り当て要求のためのＴＬＶフィールドを追加する場合に、基地局に伝送されるＲＮＧ_ＲＥＱメッセージのフォーマットは、図１１に示すようである。図１２は、図１１のＲＮＧ_ＲＥＱメッセージのペイロードに含まれる情報を示すものである。図１１を参照すると、ＲＮＧ_ＲＥＱメッセージ４４０は、ヘッダー４４１及びペイロード４４３を含む。端末１０は、必須的なレンジング情報以外に伝送するレンジング情報が更にあると、最小情報(ＭＡＣアドレスなど)と帯域幅割り当て要求のためのＴＬＶフィールド４５０を含むＲＮＧ_ＲＥＱメッセージをアップリンクに伝送する。帯域幅割り当て要求のためのＴＬＶフィールド４５０は、図１２に示すようにＲＮＧ_ＲＥＱメッセージのペイロード４４３に追加可能で、“次のレンジング要求のための要求帯域幅”と呼ばれる。そして、帯域幅割り当て要求のためのＴＬＶフィールド４５０のサイズは、当業者によって適切に決定されることができる。
【００３５】
ＲＮＧ_ＲＥＱメッセージを受信した基地局２０は、ステップ４１３で、端末１０の最小情報(ＭＡＣアドレスなど)を通じて基本ＣＩＤを割り当て、該当端末１０にＲＮＧ_ＲＳＰメッセージを通じて応答する。このとき、基地局２０は、端末１０がピギーバック要求を伝送した場合、又は端末１０が帯域幅割り当て要求のためのＴＬＶフィールドを伝送した場合に、ステップ４１５でレンジングの追加的な情報があると判定し、基本ＣＩＤを用いてアップリンクリソースを割り当てる。したがって、端末１０は、ステップ４１７で割り当てられたアップリンク区間に基本ＣＩＤを通じてＲＮＧ_ＲＥＱメッセージを追加的に伝送し、ステップ４１９で基地局２０からこれに対するＲＮＧ_ＲＳＰメッセージを受信する。
【００３６】
図３、図１３、及び図１４を参照して、本発明の第３の実施形態による基地局と端末との間のレンジング手順について説明する。図１３は、本発明の第３の実施形態による基地局と端末と間のレンジングにおけるメッセージ手順を示す図である。図１４は、初期ネットワークエントリ過程でＲＮＧ_ＲＳＰメッセージに含まれることができる情報とハンドオフ時にＲＮＧ_ＲＳＰメッセージに含まれることができる情報を示す図である。
【００３７】
コードレンジングを成功的に終了した端末１０にＣＤＭＡ_Ａｌｌｏｃａｔｉｏｎ_ＩＥを通じてリソースを割り当てるときに、基地局２０は、アップリンクリソースの割り当てに対する基準によりアップリンクリソース量を決定してアップリンクリソースを割り当てる。
具体的に、端末１０は、ステップ５０１で、初期レンジングコードを競争方式で基地局２０に伝送する。基地局２０は、ステップ５０３で、ＲＮＧ_ＲＳＰメッセージに端末１０によって伝送されたコードレンジング情報とパワーオフセット調節値を表示してブロードキャスティングする。端末１０は、ステップ５０３で受信したＲＮＧ_ＲＳＰメッセージの状態フィールドが‘継続’である場合に、ステップ５０５でコードレンジングを再び試す。基地局２０は、端末１０が試すコードレンジングを通じてタイミング及びパワー調節が適当に遂行されたと判定すると、ステップ５０７でＲＮＧ_ＲＳＰメッセージの状態フィールドを‘成功’として表示して伝送する。
【００３８】
基地局２０は、ステップ５０９で、アップリンクリソースの割り当てに対する条件に従ってアップリンクリソース量を決定する。ＲＮＧ_ＲＥＱメッセージのサイズを左右する主要な条件の中の一つは、該当ＲＮＧ_ＲＥＱメッセージが初期ネットワークエントリのためのものであるか、或いは、ハンドオフによるネットワーク再進入のためのものであるかの可否である。この条件は、基地局２０が、例えばレンジングコードを通じて判定可能である。初期レンジングコードセットとハンドオーバーのためのレンジングコードセットは、相互に異なるように定義され、それぞれのレンジングのためのアップリンク競争区間も異なるように割り当てられる。したがって、端末１０が伝送したレンジングコードと区間情報を通じて、基地局２０は端末１０の進入状況を判定でき、これによって割り当てるアップリンクリソースを判定する。図１４は、初期ネットワークエントリ過程でＲＮＧ_ＲＳＰメッセージに含まれることができる情報とハンドオフ時にＲＮＧ_ＲＳＰメッセージに含まれることができる情報を示す図である。基地局２０は、その条件に基づいて、端末１０が基地局２０に伝送しようとするすべてのレンジング情報(ａｌｌ  ＴＬＶ  ｅｌｅｍｅｎｔｓ)を伝送するように十分なアップリンクリソース量を決定する。
【００３９】
例えば、初期レンジング時に、端末１０は、ＲＮＧ_ＲＥＱメッセージを生成することにおいて、要求ダウンリンクバーストプロファイルと、ＳＳ  ＭＡＣアドレスのようなＴＬＶフィールドを含むＲＮＧ_ＲＥＱメッセージを生成する。また、要求ダウンリンクバーストプロファイル、レンジングアノマリ、ＡＡＳブロードキャスト能力のようなＴＬＶフィールドがメッセージに含まれることができる(図３を参照)。このように生成されたＲＮＧ_ＲＥＱメッセージによって、基地局２０は、端末１０のアップリンクリソースを割り当てるために可能なすべてのＴＬＶエレメントを考慮し、十分なアップリンクリソース量を決定して端末１０に割り当てることができる。例えば、ハンドオーバーレンジングの間に、端末１０は、ＲＮＧ_ＲＥＱメッセージの生成において、サービングＢＳ  ＩＤ、レンジング目的表示（Ｒａｎｇｉｎｇ  Ｐｕｒｐｏｓｅ  Ｉｎｄｉｃａｔｉｏｎ）、位置更新要求、ページングコントローラＩＤのようなフィールドが含まれる。また、ＨＯ  ＩＤ、パワーダウンインジケータ、省電力クラスパラメータの提案された変更のようなフィールドも含まれる(図３を参照)。このように生成されたＲＮＧ_ＲＥＱメッセージにより、基地局２０は、端末１０のアップリンクリソース(ＵＬ  Ｂａｎｄｗｉｄｔｈ）を割り当てるために可能なすべてのＴＬＶエレメントを考慮し、十分なアップリンクリソース量を決定して端末１０に割り当てることができる。
その結果、端末１０は、ＲＮＧ_ＲＥＱメッセージを伝送するためのアップリンクリソースが不足するようになることはほとんどない。
【００４０】
基地局２０は、ステップ５１１で、アップリンクリソースを割り当てたＣＤＭＡ_Ａｌｌｏｃａｔｉｏｎ_ＩＥを端末１０に伝送する。端末１０は、ステップ５１３で割り当てられたアップリンク区間にＲＮＧ_ＲＥＱメッセージを伝送する。本実施形態によると、端末１０は、基地局２０から割り当てられたアップリンクリソースが十分なため、基地局２０にＲＮＧ_ＲＥＱメッセージを伝送するための帯域幅を要求することがない。
基地局２０は、ステップ５１５で、端末１０にＲＮＧ_ＲＳＰメッセージを伝送することによってレンジング手順が終了される。ＲＮＧ_ＲＳＰメッセージに含まれた基本ＣＩＤと第１のＣＩＤを通じて端末１０は、ステップ５１７で、能力交渉手順を遂行するために能力要求メッセージ(ＳＢＣ(ＳＳ  Ｂａｓｉｃ  Ｃａｐａｂｉｌｉｔｙ)-ＲＥＱ)を伝送する。
【００４１】
第１〜第３の実施形態を実現する端末１０及び基地局２０の構成及び動作を説明する。
図１５は、本発明の実施形態による端末１０のブロック構成図である。図１５を参照すると、端末１０は送受信部１２及び制御部１４を含む。送受信部１２は、レンジング手順のためのメッセージを受信又は送信する。制御部１４は、第１の実施形態によりＲＮＧ_ＲＥＱメッセージを伝送するために、割り当てられたアップリンクリソースが十分でない場合に、初期レンジングＣＩＤを含んだ“帯域幅要求”を送受信部１２を通じて基地局２０に送信する。そして、制御部１４は、基地局２０から伝送されたＣＤＭＡ_Ａｌｌｏｃａｔｉｏｎ_ＩＥのレンジングコード値が、例えば、０ｘ００である場合に、初期レンジングＣＩＤを通じて“帯域幅要求”に関する割り当て情報であると判定する。そして、制御部１４は、ＣＤＭＡ_Ａｌｌｏｃａｔｉｏｎ_ＩＥのレンジングシンボルとレンジングサブチャンネル値が“帯域幅要求”ヘッダーを伝送した位置と同一であるかを比較する。制御部１４は、レンジングコード値が例えば、０x００で、ＣＤＭＡ_Ａｌｌｏｃａｔｉｏｎ_ＩＥのレンジングシンボルとレンジングサブチャンネル値が“帯域幅要求”ヘッダーを送信した位置と同一であると、割り当てられた区間に自分のＲＮＧ_ＲＥＱメッセージを送受信部１２を通じて基地局２０に伝送する。
【００４２】
第２の実施形態によると、割り当てられたアップリンクリソース量が伝送しようとするＲＮＧ_ＲＥＱメッセージを伝送するのに十分でない場合に、制御部１４は、追加的に伝送するための帯域幅を要求するために“次のレンジング要求のための要求帯域幅”のようなＴＬＶフィールドやピギーバック要求を含むＲＮＧ_ＲＥＱメッセージを送受信部１２を通じて基地局２０に送信する。前述したように、帯域幅割り当て要求の表示又は追加ＲＮＧ_ＲＥＱ情報の存在表示はＲＮＧ_ＲＥＱメッセージに帯域幅割り当て要求のためのピギーバック要求を含める方法と、ＲＮＧ_ＲＥＱメッセージのペイロードに帯域幅割り当て要求のためのＴＶＬフィールドを追加する方法がある。制御部１４は、基地局２０に伝送する追加的なＲＮＧ_ＲＥＱ情報があると、ピギーバック要求を含むＲＮＧ_ＲＥＱメッセージを生成して基地局２０に伝送する。または、制御部１４は、帯域幅割り当て要求のための“次のレンジング要求のための要求帯域幅”を含むＲＮＧ_ＲＥＱメッセージを生成して基地局２０に伝送する。
制御部１４は、基地局２０からＲＮＧ_ＲＳＰメッセージを通じて基本ＣＩＤを割り当てられると、この基本ＣＩＤを通じてＲＮＧ_ＲＥＱメッセージを追加的に伝送する。
もちろん、制御部１４は、基地局２０から初めて割り当てられたアップリンクリソース量が十分であると、一度だけでＲＮＧ_ＲＥＱメッセージを伝送することによって自分が伝送しようとするすべてのレンジング情報を基地局２０に伝送可能である。
【００４３】
図１６は、本発明の実施形態による基地局２０のブロック構成図である。図１６を参照すると、基地局２０は、送受信部２２、制御部２４、及びアップリンクリソース割り当て部２６を含む。送受信部２２は、レンジング手順のためのメッセージを受信又は送信する。第１の実施形態によって制御部２４は、初期レンジングＣＩＤを含む“帯域幅要求”を受信すると、端末１０がレンジング過程で要求する“帯域幅要求”であると判定する。それによって、アップリンクリソース割り当て部２６は、ＣＤＭＡ_Ａｌｌｏｃａｔｉｏｎ_ＩＥを通じてアップリンク区間を再び割り当てる。このとき、制御部２４は、“帯域幅要求”に応答してＣＤＭＡ_Ａｌｌｏｃａｔｉｏｎ_ＩＥを伝送するときにこの“帯域幅要求”を受信したレンジングシンボルとレンジングサブチャンネルの位置でＣＤＭＡ_Ａｌｌｏｃａｔｉｏｎ_ＩＥを送信する。
【００４４】
そして、第２の実施形態によってアップリンクリソース割り当て部２６は、コードレンジングを成功的に終了した端末１０にＣＤＭＡ_Ａｌｌｏｃａｔｉｏｎ_ＩＥを通じてアップリンクリソースを割り当てるときに、最小量のアップリンクリソースを割り当てる。すなわち、アップリンクリソース割り当て部２６は、成功的なコードレンジングを終了した端末１０に“レンジング要求のための最小リソース”以上のアップリンクリソースをＣＤＭＡ_Ａｌｌｏｃａｔｉｏｎ_ＩＥを通じて割り当てる。このとき、“レンジング要求のための最小リソース”は、端末１０のＭＡＣヘッダー、グラントサブヘッダー、ＭＡＣアドレスなど、最小情報を含むＲＮＧ_ＲＥＱメッセージを支援可能なアップリンクのリソース量を示す。
【００４５】
端末１０からＲＮＧ_ＲＥＱメッセージを受信すると、制御部２４は、端末１０の最小情報(ＭＡＣアドレスなど)を通じて基本ＣＩＤを割り当てたＲＮＧ_ＲＳＰメッセージを端末１０に伝送する。また、制御部２４は、端末１０から受信したＲＮＧ_ＲＥＱメッセージに追加的なＲＮＧ_ＲＥＱ情報の存在又はその伝送のための帯域幅割り当て要求が表示されているかを判定する。例えば、制御部２４は、受信したＲＮＧ_ＲＥＱメッセージにピギーバック要求又は“次のレンジング要求のための要求帯域幅”が含まれているかを判定する。制御部２４は、ＲＮＧ_ＲＥＱメッセージに追加ＲＮＧ_ＲＥＱ情報の存在の表示、又は帯域幅割り当て要求の表示が含まれていると、アップリンクリソース割り当て部２６が基本ＣＩＤを用いて端末１０にアップリンクリソースを再び割り当てるようにする。
【００４６】
第３の実施形態により、アップリンクリソース割り当て部２６は、コードレンジングを成功的に終了した端末１０にＣＤＭＡ_Ａｌｌｏｃａｔｉｏｎ_ＩＥを通じてリソースを割り当てるときに、アップリンクリソースの割り当てに対する条件に従ってアップリンクリソース量を決定し、アップリンクリソースを割り当てる。前述したように、ＲＮＧ_ＲＥＱメッセージのサイズを左右する主要な条件の中の一つは、該当ＲＮＧ_ＲＥＱメッセージが初期ネットワークエントリのためのものであるか、或いはハンドオフによるネットワーク再進入のためのものであるかの可否である。アップリンクリソース割り当て部２６は、このような条件に基づいて端末１０が基地局２０に伝送しようとするすべてのレンジング情報を送信することができるように、十分なアップリンクリソース量を割り当てることができる。そして、制御部２４は、決定されたアップリンクリソース量を割り当てたＣＤＭＡ_Ａｌｌｏｃａｔｉｏｎ_ＩＥを送受信部２２を通じて端末１０に送信する。
【００４７】
以上、本発明の具体的な実施形態に関して説明したが、多様な変形が本発明の範囲から外れない限り実施可能である。例えば、本発明は、ＩＥＥＥ８０２．１６/８０２．１６ｅ  ＯＦＤＭＡシステムに適用されることができる。したがって、本発明の範囲は、上述した実施形態に限定されるものではなく、特許請求の範囲及びこの特許請求の範囲と均等なものに基づいて定められるべきである。
【図面の簡単な説明】
【００４８】
【図１】一般的な広帯域無線接続通信システムの構成を示す図である。
【図２】従来の広帯域無線接続通信システムで、端末の初期レンジング手順を示す図である。
【図３】ＲＮＧ_ＲＥＱメッセージに含まれた情報を示す図である。
【図４】帯域幅要求メッセージに含まれた情報を示す図である。
【図５】本発明の第１の実施形態により、基地局と端末との間のレンジングにおけるメッセージ手順を示す図である。
【図６】本発明の実施形態による帯域幅要求メッセージに含まれる情報を示す図である。
【図７】本発明の実施形態によるＣＤＭＡ_Ａｌｌｏｃａｔｉｏｎ_ＩＥメッセージに含まれた情報を示す図である。
【図８】本発明の第２の実施形態による基地局と端末との間のレンジングにおけるメッセージ手順を示す図である。
【図９】本発明の実施形態によるＲＮＧ_ＲＥＱメッセージのフォーマットを示す図である。
【図１０】図９のＲＮＧ_ＲＥＱメッセージのヘッダーのタイプフィールドに含まれた情報を示す図である。
【図１１】本発明の第２の実施形態の他の例によるＲＮＧ_ＲＥＱメッセージのフォーマットを示す図である。
【図１２】図１１のＲＮＧ_ＲＥＱメッセージのペイロードに含まれた情報を示す図である。
【図１３】本発明の第３の実施形態による基地局と端末との間のレンジング時のメッセージ手順を示す図である。
【図１４】初期ネットワークエントリ過程でＲＮＧ_ＲＳＰメッセージに含まれることが可能な情報と、ハンドオフ時にＲＮＧ_ＲＳＰメッセージに含まれることが可能な情報を示す図である。
【図１５】本発明の実施形態による端末のブロック構成図である。
【図１６】本発明の実施形態による基地局のブロック構成図である。
【符号の説明】
【００４９】
１０  端末
１２  送受信部
１４  制御部
２０  基地局
２２  送受信部
２４  制御部
２６  アップリンクリソース割り当て部
２０１  メッセージタイプ
２０３  ダウンリンクチャンネルＩＤ
２０５  要求ダウンリンクバーストプロファイル
２０７  ＳＳ  ＭＡＣアドレス
４３０  ＲＮＧ_ＲＥＱメッセージ
４３１  ヘッダー
４３３  サブヘッダー
４３５  ペイロード
４４０  ＲＮＧ_ＲＥＱメッセージ
４４１  ヘッダー
４４３  ペイロード
４５０  帯域幅割り当て要求のためのＴＬＶフィールド
【図１】
2006254461.tif 000003
【図２】
2006254461.tif 000004
【図３】
2006254461.tif 000005
【図４】
2006254461.tif 000006
【図５】
2006254461.tif 000007
【図６】
2006254461.tif 000008
【図７】
2006254461.tif 000009
【図８】
2006254461.tif 000010
【図９】
2006254461.tif 000011
【図１０】
2006254461.tif 000012
【図１１】
2006254461.tif 000013
【図１２】
2006254461.tif 000014
【図１３】
2006254461.tif 000015
【図１４】
2006254461.tif 000016
【図１５】
2006254461.tif 000017
【図１６】
2006254461.tif 000018